(57)【特許請求の範囲】
【請求項１】
第１電力を出力する第１装置と、前記第１装置から供給される前記第１電力によりそれぞれが第２電力を生成して出力する複数の第２装置と、前記第１電力が断続的に前記複数の第２装置へ供給されるように前記第１装置と前記複数の第２装置との間の経路の開閉を制御するスイッチング機構とを備え、
前記複数の第２装置の各々は、
断続的に供給される前記第１電力を変換して前記第２電力を生成する電力変換回路を備え、この電力変換回路は、前記複数の第２装置の各々で、固有の比率により前記第１電力を前記第２電力へ変換するように構成されており、
前記スイッチング機構は、前記経路に挿入接続されたスイッチング素子及び前記スイッチング素子をオン又はオフするための前記第２装置から独立して設けられる制御回路を有して、前記スイッチング素子がオン又はオフすることで前記経路の開閉を制御する、
電源装置。
【請求項２】
前記第１装置は、交流電源から供給される交流電力を整流して前記第１電力を生成する回路を備えており、
直流の前記第１電力を出力するようにして成る、
請求項１記載の電源装置。
【請求項３】
前記電力変換回路は、トランスを含み、このトランスの巻線比は、前記複数の第２装置の各々で固有のものとされており、巻線比に応じて前記第１電力を前記第２電力へ変換するように構成される、
請求項１記載の電源装置。
【請求項４】
前記第２電力が交番電力であり、
前記複数の第２装置の少なくとも一つは、
前記電力変換回路により生成された前記第２電力を整流及び平滑する整流平滑回路をさらに備えており、
前記第２電力を整流及び平滑して出力するようにして成る、
請求項１記載の電源装置。
【請求項５】
交流電源から供給される交流電力から第１電力を生成する第１装置と、前記第１装置から供給される前記第１電力によりそれぞれが第２電力を生成する複数の第２装置とを備え、
前記第１装置は、
前記交流電力を整流して直流の前記第１電力を生成する回路と、
生成された第１電力を前記第２装置へ供給する経路の開閉を制御して、前記第１電力を断続的に前記第２装置へ供給するスイッチング機構と、を備え、
前記複数の第２装置の各々は、
前記第１装置から断続的に供給される前記第１電力を変換して前記第２電力を生成するトランスと、
生成した前記第２電力を整流及び平滑する整流平滑回路と、を備え、
前記トランスは、巻線比が前記複数の第２装置の各々で固有のものとされており、この巻線比に応じて前記第１電力を前記第２電力へ変換するように構成されており、
前記スイッチング機構は、
前記経路に挿入接続されたスイッチング素子と、
このスイッチング素子をオン又はオフして前記経路を開閉制御する前記第２装置から独立して設けられる制御回路とを備え、
前記制御回路により制御された前記スイッチング素子が前記経路を開閉させることにより、前記第１電力が断続的に前記第２装置へ供給されるように構成される、
電源装置。
【請求項６】
前記整流平滑回路は、
前記第２電力を整流する単向性素子と、整流された前記第２電力を蓄電する蓄電器とを備えており、
前記単向性素子の入力端は前記電力変換回路と接続され、その出力端は前記蓄電器の一端と接続され、
前記蓄電器の他端は、前記電力変換回路と接続され、
前記蓄電器の両端から整流及び平滑された前記第２電力が出力されるように構成される、
請求項４又は５記載の電源装置。
【発明の詳細な説明】
【０００１】
【発明の属する技術分野】
本発明は、電源装置に関し、特に一つの入力電力から複数の出力電力を生成して出力する多出力の電源装置に関する。
【０００２】
【従来の技術】
スイッチング電源装置は、直流電圧（直流入力電圧）を、スイッチング素子を用いてトランスの１次巻線に断続的に印加し、１次巻線に断続的に直流入力電圧が印加されることによりトランスの２次巻線に誘起する交流電圧（交流出力電圧）を整流及び平滑して生成される直流電圧（直流出力電圧）を出力するように構成されている。
複数の直流出力電圧を出力する多出力のスイッチング電源装置には、例えば、一つのトランスで２次巻線を出力電圧の数だけ用いるアルファ型のものや、出力電圧の数だけトランスを備えるＤＣ−ＤＣ型のものがある。
【０００３】
図２は、アルファ型のスイッチング電源装置の構成図である。
このスイッチング電源装置１０は、交流電源１１、ＰＦＨＣ（Power Factor Harmonic Correction）１２、スイッチング素子となるトランジスタ１３、制御回路１４、１次巻線１５１及び複数の２次巻線１５２ａ、ｂ、ｃからなるトランス１５、整流平滑回路１６ａ、ｂ、ｃを備えている。
トランジスタ１３と制御回路１４とで、交流電源１１及びＰＦＨＣ１２により生成される直流入力電圧を断続的にトランス１５に印加する構成となっている。また、断続的に印加される直流入力電圧によりトランス１５の複数の２次巻線１５２ａ、ｂ、ｃの各々に誘起する交流出力電圧を、各２次巻線１５２ａ、ｂ、ｃに接続された整流平滑回路１６ａ、ｂ、ｃにより整流及び平滑して直流出力電圧Ｖｏ１、２、３を生成するようになっている。
【０００４】
交流電源１１は、例えば商用電源であり、所定の周波数及び実効値の交流電圧を発生してＰＦＨＣ１２に印加する。
ＰＦＨＣ１２は、力率改善回路であり、交流電源１１により発生する交流電圧から、高調波成分を抑制しつつ、所定の電圧値の直流入力電圧を生成する。生成された直流入力電圧は、トランス１５の１次巻線１５１に印加される。
トランジスタ１３は、トランス１５の１次巻線１５１とＰＦＨＣ１２との間にコレクタ端子及びエミッタ端子が接続されており、制御回路１４からベース端子に入力される制御信号によりスイッチングを行って、トランス１５の１次巻線１５１とＰＦＨＣ１２との間の経路の開閉を制御するものである。制御回路１４は、トランジスタ１３が所定の間隔でスイッチングを行うように制御する制御信号を、トランジスタ１３のベース端子に印加するものである。
交流電源１１及びＰＦＨＣ１２により生成された直流入力電圧は、トランジスタ１３がスイッチングすることにより、トランス１５の１次巻線１５１に断続的に印加されることとなる。
【０００５】
トランス１５は、１次巻線１５１と、直流出力電圧Ｖｏ１、２、３の数と同数の２次巻線１５２ａ、ｂ、ｃとを備える。つまり、直流出力電圧の数が３つの場合には、２次巻線の数も３つになる。１次巻線１５１に断続的に直流入力電圧が印加されることにより、２次巻線１５２ａ、ｂ、ｃのそれぞれに交流出力電圧が誘起する。１次巻線１５１と２次巻線１５２ａ、ｂ、ｃのそれぞれとの巻線比により、交流出力電圧の実効値が決まる。
整流平滑回路１６ａ、ｂ、ｃは、それぞれ同じ構成の回路であり、２次巻線１５２ａ、ｂ、ｃに誘起する交流出力電圧を、整流するダイオード１６１ａ、ｂ、ｃ及び平滑するコンデンサ１６２ａ、ｂ、ｃを備えている。ダイオード１６１ａ、ｂ、ｃのアノードは２次巻線１５２ａ、ｂ、ｃの一端に接続され、カソードはコンデンサ１６２ａ、ｂ、ｃの一端に接続される。コンデンサ１６２ａ、ｂ、ｃの他端は２次巻線１５２ａ、ｂ、ｃの他端に接続される。コンデンサ１６２ａ、ｂ、ｃの両端の電圧が直流出力電圧Ｖｏ１、２、３となる。２次巻線１５２ａ、ｂ、ｃに誘起する交流出力電圧を、整流及び平滑することで直流出力電圧Ｖｏ１、２、３を生成する。直流出力電圧Ｖｏ１、２、３の電圧値は、交流出力電圧の実効値に応じて決まるので、１次巻線と２次巻線との巻線比により決まることとなる。
【０００６】
以上のような構成のスイッチング電源装置１０のトランス１５は、実際の装置において、磁芯であるコアに、１次巻線及び２次巻線を巻回した形で形成される。そのために、トランス１５の小型化には限度がある。
また、１次巻線の巻線数が固定であるために、２次巻線の巻線数の自由度が制限され、効率が悪いものとなっている。つまり、１次巻線の巻線数が固定であると、所定の直流出力電圧を得るための２次巻線の巻線数は、直流出力電圧の電圧値により決まる。ところが、トランスの大きさには制限があるために、必要な電圧値を得るための巻線数を巻けないこともあり得る。そのために、１次巻線と２次巻線との巻線比で決まる直流出力電圧の電圧値も制限される。
【０００７】
図３は、ＤＣ−ＤＣ型のスイッチング電源装置の構成図である。
このスイッチング電源装置１０は、交流電源１１、ＰＦＨＣ１２、出力電圧発生部１７ａ、ｂ、ｃを備えている。出力電圧発生部１７ａ、ｂ、ｃは、各々同じ構成であり、スイッチング素子となるトランジスタ１３ａ、ｂ、ｃ、制御回路１４ａ、ｂ、ｃ、トランス１５ａ、ｂ、ｃ、整流平滑回路１６ａ、ｂ、ｃを備える。各出力電圧発生部１７ａ、ｂ、ｃから直流出力電圧Ｖｏ１、２、３を生成する。
【０００８】
交流電源１１及びＰＦＨＣ１２は、図２のアルファ型のスイッチング電源装置１０の交流電源１１及びＰＦＨＣ１２と同様の機能、構成であり、出力電圧発生部１７ａ、ｂ、ｃに直流入力電圧を印加する。
出力電圧発生部１７ａのトランジスタ１３ａ、制御回路１４ａ、トランス１５ａ、整流平滑回路１６ａは、図２のアルファ型のスイッチング電源装置１０のトランジスタ１３、制御回路１４、トランス１５、整流平滑回路１６と同様の機能、構成である。他の出力電圧発生部１７ｂ、ｃ内に備わる各回路についても同様である。
【０００９】
出力電圧発生部１７ａ、ｂ、ｃ毎にトランス１５ａ、ｂ、ｃを設けることができるため、トランス１５ａ、ｂ、ｃの１次巻線と２次巻線との巻線比を自由に定めることができる。そのために、トランス１５ａ、ｂ、ｃの巻線比で決まる直流出力電圧Ｖｏ１、２、３の電圧値を自由に設定できるようになっている。
【００１０】
このスイッチング電源回路１０では、出力電圧発生部１７ａ、ｂ、ｃ毎に、トランス１５ａ、ｂ、ｃに対して断続的に直流入力電圧を印加するためのトランジスタ１３ａ、ｂ、ｃ及び制御回路１４ａ、ｂ、ｃを用意する必要がある。これが、トランスの高コストにつながる。また、出力電圧発生部１４ａ、ｂ、ｃの構成が大きくなるために、出力電圧発生部１４ａ、ｂ、ｃのワンボックス化が困難である。
【００１１】
【発明が解決しようとする課題】
以上の説明では、電圧を出力する電源装置について説明したが、電流や、電力についても、同様の回路構成をとるために、同様の問題が生じる。
本発明は、上記問題点に鑑み、高効率且つ低コストでトランスの小型化が容易な多出力の電源装置を提供することを課題とする。
【００１２】
【課題を解決するための手段】
以上のような課題を解決する本発明は、第１電力を出力する第１装置と、前記第１装置から供給される前記第１電力によりそれぞれが第２電力を生成して出力する複数の第２装置と、前記第１電力が断続的に前記複数の第２装置へ供給されるように前記第１装置と前記複数の第２装置との間の経路の開閉を制御するスイッチング機構とを備えた電源装置である。このような電源装置で、前記複数の第２装置の各々は、断続的に供給される前記第１電力を変換して前記第２電力を生成する電力変換回路を備え、この電力変換回路は、前記複数の第２装置の各々で、固有の比率により前記第１電力を前記第２電力へ変換するように構成される。
【００１３】
このような電源装置において、前記第１装置が、交流電源から供給される交流電力を整流して前記第１電力を生成する回路を備え、直流の前記第１電力を出力するようにしてもよい。
前記電力変換回路は、例えば、トランスを含んでおり、このトランスの巻線比を、前記複数の第２装置の各々で固有のものとする。これにより、各第２装置は、トランスの巻線比に応じて前記第１電力を前記第２電力へ変換する構成となる。
また、前記第２電力が交番電力の場合、前記複数の第２装置の少なくとも一つが、前記電力変換回路により生成された前記第２電力を整流及び平滑する整流平滑回路をさらに備えるようにしてもよい。これにより、整流平滑回路を備えた第２装置から出力される第２電力は、整流及び平滑されたものとなる。
【００１４】
本発明の他の電源装置は、交流電源から供給される交流電力から第１電力を生成する第１装置と、前記第１装置から供給される前記第１電力によりそれぞれが第２電力を生成する複数の第２装置とを備えるものである。この電源装置において、前記第１装置は、前記交流電力を整流して直流の前記第１電力を生成する回路と、生成された第１電力を前記第２装置へ供給する経路の開閉を制御して、前記第１電力を断続的に前記第２装置へ供給するスイッチング機構と、を備え、前記複数の第２装置の各々は、前記第１装置から断続的に供給される前記第１電力を変換して前記第２電力を生成するトランスと、生成した前記第２電力を整流及び平滑する整流平滑回路と、を備え、前記トランスは、巻線比が前記複数の第２装置の各々で固有のものとされており、この巻線比に応じて前記第１電力を前記第２電力へ変換するように構成される。
【００１５】
これらの本発明の電源装置は、第１電力を第２装置へ断続的に供給するスイッチング機構を一つしか持たないため、従来のＤＣ−ＤＣ型のスイッチング電源装置に比べて小型化が図れ、低コストになる。また、電流変換回路又はトランスが複数の第２装置の各々に設けられているため、例えば、トランスの巻線比を第２装置毎に自由に設定して、各第２装置から出力される第２電力の値を自由に決めることができ、高効率の電源装置となる。
【００１６】
これらの本発明の電源装置において、前記整流平滑回路は、例えば、前記第２電力を整流する単向性素子と、整流された前記第２電力を蓄電する蓄電器とにより構成される。このとき、前記単向性素子の入力端は前記電力変換回路と接続され、その出力端は前記蓄電器の一端と接続され、前記蓄電器の他端は、前記電力変換回路と接続され。前記蓄電器の両端から整流及び平滑された前記第２電力が出力される。
前記スイッチング機構は、例えば、前記経路に挿入接続されたスイッチング素子と、このスイッチング素子をオン又はオフして前記経路を開閉制御する制御回路とにより構成される。前記制御回路により制御された前記スイッチング素子が前記経路を開閉させることにより、前記第１電力が断続的に前記第２装置へ供給される。
【００１７】
【発明の実施の形態】
以下、本発明の実施形態を図面を参照して詳細に説明する。
図１は、本発明の一実施形態である多出力のスイッチング電源装置の構成図である。
このスイッチング電源装置１０は、第１装置を構成する交流電源１１、ＰＦＨＣ１２、スイッチング素子となるトランジスタ１３、制御回路１４と、それぞれが第２装置を構成する複数のコンバータＡ、Ｂ、Ｃとを備えている。ここでは、トランジスタ１３及び制御回路１４を第１装置に含まれるものとしているが、これらは、第１装置から独立して設けるようにしてもよい。
【００１８】
第１装置の出力端子ＮＯ１は、コンバータＡ、Ｂ、Ｃの入力端子ＮＩ１ａ、ｂ、ｃのそれぞれと接続され、第１装置の出力端子ＮＯ２は、コンバータＡ、Ｂ、Ｃの入力端子ＮＩ２ａ、ｂ、ｃのそれぞれと接続される。第１装置は、接続端子ＮＯ１、ＮＯ２から直流入力電圧を断続的に各コンバータＡ、Ｂ、Ｃへ印加する。各コンバータＡ、Ｂ、Ｃは、第１装置から印加される直流入力電圧により所望の電圧値の直流出力電圧Ｖｏ１、２、３を生成して、各出力端子ＶＯ１ａ、ｂ、ｃ、ＶＯ２ａ、ｂ、ｃから出力する。
【００１９】
本実施形態では、コンバータを３つ用いた構成で説明を行うが、コンバータの数は、電源装置１０から出力する直流出力電圧の数に応じて決めればよい。
なお、ここでは、直流入力電圧から直流出力電圧を生成する場合について説明するが、電圧に限らず、電流や電力を生成する場合についても同様のスイッチング電源装置を用いることができることはいうまでもない。
【００２０】
第１装置を構成する交流電源１１、ＰＦＨＣ１２、トランジスタ１３及び制御回路１４は、例えば、図２に示すアルファ型のスイッチング電源装置に設けられる交流電源１１、ＰＦＨＣ１２、トランジスタ１３及び制御回路１４と同様の構成である。
【００２１】
交流電源１１は、例えば商用電源であり、所定の周波数及び実効値の交流電圧を発生する。交流電圧は、ＰＦＨＣ１２に供給される。
ＰＦＨＣ１２は、交流電源１１から供給される交流電圧により所定の電圧値を持つ直流入力電圧を生成する。この直流入力電圧は、出力端子ＮＯ１、ＮＯ２を介して各コンバータＡ、Ｂ、Ｃに印加される。
【００２２】
トランジスタ１３は、出力端子ＮＯ２とＰＦＨＣ１２との間にコレクタ端子及びエミッタ端子が接続されており、制御回路１４からベース端子に入力される制御信号により、出力端子ＮＯ２とＰＦＨＣ１２との間の経路の開閉を行う。つまり、トランジスタ１３がオンのときは、出力端子ＮＯ２とＰＦＨＣ１２とが接続された状態となって直流入力電圧が各コンバータＡ、Ｂ、Ｃに印加され、トランジスタ１３がオフのときは、出力端子ＮＯ２とＰＦＨＣ１２とが非接続の状態となって直流入力電圧が各コンバータＡ、Ｂ、Ｃに印加されないこととなる。
これにより、交流電源１１及びＰＦＨＣ１２により生成された直流入力電圧は、出力端子ＮＯ１、ＮＯ２から第２装置側へ断続的に印加されることになる。
制御回路１４は、トランジスタ１３が所定の間隔でスイッチングするように、トランジスタ１３のベース端子に制御信号を印加する。制御回路１４は、各直流出力電圧Ｖｏ１、２、３が安定して得られるように、トランジスタ１３に印加する制御信号を調整して、直流入力電圧がコンバータＡ、Ｂ、Ｃに印加される時間を調整するようにしてもよい。
トランジスタ１３及び制御回路１４により本発明のスイッチング機構を構成する。
【００２３】
なお、本実施形態では、トランジスタ１３を用いて出力端子ＮＯ２とＰＦＨＣ１２との間の経路の開閉を行うこととしているが、これは、トランジスタに限らず、２点間の接続、非接続状態を切り換えることが可能なスイッチ機能を持つものであれば、どのような形態のものであっても構わない。
【００２４】
次に、コンバータＡ、Ｂ、Ｃの構成について説明する。コンバータＡ、Ｂ、Ｃは同じ構成であるため、ここでは、コンバータＡを例にして説明する。
コンバータＡは、トランス１５ａと、整流平滑回路１６ａとを備える。整流平滑回路１６ａは、例えば、図２に示すアルファ型のスイッチング電源装置に設けられる整流平滑回路１６ａと同様の構成である。
【００２５】
トランス１５ａは、第１装置から断続的に印加される直流入力電圧により、所定の実効値、周波数の交流出力電圧を誘起する。トランス１５ａは、１次巻線１５１ａと２次巻線１５２ａとを備えており、１次巻線１５１ａには直流入力電圧が印加され、２次巻線１５２ａは交流出力電圧を誘起する。交流出力電圧の実効値は、１次巻線１５１ａと２次巻線１５２ａとの巻線比により決定する。
１次巻線と２次巻線の巻線比を、各コンバータＡ、Ｂ、Ｃのそれぞれのトランス１５ａ、ｂ、ｃで異なるものとすることにより、３種類の異なる実効値の交流出力電圧が得られる。
【００２６】
整流平滑回路１６ａは、トランス１５ａの２次巻線１５２ａに発生する交流出力電圧を、整流するダイオード１６１ａ及び平滑するコンデンサ１６２ａを備えている。ダイオード１６１ａのアノードは２次巻線１５２ａの一端に接続され、カソードはコンデンサ１６２ａの一端に接続される。コンデンサ１６２ａの他端は２次巻線１５２ａの他端に接続される。コンデンサ１６２ａの両端の電圧が直流出力電圧Ｖｏ１となる。２次巻線１５２ａに誘起する交流出力電圧を、整流及び平滑することで直流出力電圧Ｖｏ１を生成する。直流出力電圧Ｖｏ１の電圧値は、交流出力電圧の実効値に応じて決まるので、１次巻線と２次巻線との巻線比により決まることとなる。
【００２７】
以上のような構成の多出力のスイッチング電源装置１０の動作について説明する。
【００２８】
交流電源１１から発生した交流電圧は、ＰＦＨＣ１２に供給され、ここで整流及び平滑される。交流電圧は、整流及び平滑されて直流入力電圧となる。直流入力電圧は、ＰＦＨＣ１２から出力端子ＮＯ１、ＮＯ２を介してコンバータＡ、Ｂ、Ｃに印加される。このとき、トランジスタ１３は、制御回路１４からの制御信号によりスイッチングを行い、ＰＦＨＣ１２と出力端子ＮＯ２との間の経路を開閉して、直流入力電圧が、断続的にコンバータＡ、Ｂ、Ｃに印加されるようにする。
【００２９】
コンバータＡ、Ｂ、Ｃの各々に備わるトランス１５ａ、ｂ、ｃの１次巻線１５１ａ、ｂ、ｃには、第１装置側から断続的に直流入力電圧が印加される。直流入力電圧が、トランス１５ａ、ｂ、ｃに断続的に印加されることで、それぞれの１次巻線１５１ａ、ｂ、ｃと２次巻線１５２ａ、ｂ、ｃとの巻線比に応じた実効値の交流出力電圧が、２次巻線１５２ａ、ｂ、ｃに誘起される。
【００３０】
２次巻線１５２ａ、ｂ、ｃのそれぞれに誘起した交流出力電圧は、整流平滑回路１６ａ、ｂ、ｃにより、整流及び平滑され、それぞれ所定の電圧値の直流出力電圧Ｖｏ１、２、３となる。生成された直流出力電圧Ｖｏ１、２、３は、各出力端子ＶＯ１ａ、ｂ、ｃ、ＶＯ２ａ、ｂ、ｃから出力される。
【００３１】
トランジスタ１３及び制御装置１４からなるスイッチング機構を一つしか持たないため、図３に示すようなＤＣ−ＤＣ型のスイッチング電源装置に比べて小型化が図れ、低コストになる。また、トランス１５ａ、ｂ、ｃの１次巻線１５１ａ、ｂ、ｃ及び２次巻線１５２ａ、ｂ、ｃがコンバータＡ、Ｂ、Ｃ内にそれぞれ設けられているため、巻線比が各コンバータＡ、Ｂ、Ｃ内で自由に設定でき、高効率の電源装置となる。
【００３２】
本実施形態では、交流電源１１から発生した交流電圧をＰＦＨＣ１２により整流及び平滑して直流入力電圧を得るようにしたが、これに限らず、直流電源を用いて、直流電源から発生する直流電圧を、そのまま直流入力電圧として、第２装置に印加するようにしてもよい。
整流平滑回路１６ａ、ｂ、ｃは、トランス１５ａ、ｂ、ｃで誘起される交流出力電圧の制御方式の一例であり、この他にも、従来から行われているように、マグアンプ、チョッパー回路等を用いて、交流出力電圧から直流出力電圧Ｖｏ１、２、３を生成するようにしてもよい。
また、トランスにより誘起した交流出力電圧を、整流平滑回路１６ａ、ｂ、ｃにより整流及び平滑して直流出力電圧を出力するようにしているが、整流及び平滑を行わずに交流出力電圧をそのまま出力するようにしてもよい。
【００３３】
【発明の効果】
以上のような本発明により、高効率且つ低コストで小型の多出力の電源装置が得られる。
【図面の簡単な説明】
【図１】本実施形態のスイッチング電源回路の構成図。
【図２】従来のアルファ型のスイッチング電源装置の構成図。
【図３】従来のＤＣ−ＤＣ型のスイッチング電源装置の構成図。
【符号の説明】
１０  スイッチング電源装置
１１  交流電源
１２  ＰＦＨＣ
１３、１３ａ、１３ｂ、１３ｃ  トランジスタ
１４、１４ａ、１４ｂ、１４ｃ  制御回路
１５、１５ａ、１５ｂ、１５ｃ  トランス
１５１、１５１ａ、１５１ｂ、１５１ｃ  １次巻線
１５２ａ、１５２ｂ、１５２ｃ  ２次巻線
１６ａ、１６ｂ、１６ｃ  整流平滑回路
１６１ａ、１６１ｂ、１６１ｃ  ダイオード
１６２ａ、１６２ｂ、１６２ｃ  コンデンサ
１７ａ、１７ｂ、１７ｃ  出力電圧発生部
Ａ、Ｂ、Ｃ  コンバータ
【図１】
0004619556.tif 000002
【図２】
0004619556.tif 000003
【図３】
0004619556.tif 000004